(57)【要約】      （修正有）【課題】簡単な構造で、かつ、１つの施錠具で、電子機器の本体と内部の記憶装置を施錠し、また、外付けで接続された記憶装置をも併せて施錠する電子機器の施錠構造を提供する。【解決手段】施錠具Ｗを用いて施錠する電子機器の施錠構造は、開口部を有する第１電子機器の本体１と、開口部を覆う蓋部４と、蓋部４を本体１に固定することが可能であって、第１面５ａ、第１面５ａに対向する第２面５ｂ及び第１面５ａと第２面５ｂを接続する第３面５ｃを有して側面視コ字状に形成されたロッキングプレート５と、を備え、ロッキングプレート５が、第１面５ａにおいて蓋部４と係合し、第２面５ｂにおいて本体１に挿入され、第３面５ｃにおいて本体１に固定され、第２面５ｂに設けられている第１施錠穴５ｅと本体１の背面１Ｂに設けられている嵌合穴１ｅを介して施錠具Ｗによって施錠される。【選択図】図７
2019160103.tif 000002
【特許請求の範囲】
【請求項１】
施錠具を用いて施錠する電子機器の施錠構造であって、
開口部を有する第１電子機器の本体と、
前記開口部を覆う蓋部と、
前記蓋部を前記本体に固定することが可能であって、第１面、前記第１面に対向する第
２面及び前記第１面と前記第２面を接続する第３面を有して側面視コ字状に形成されたロ
ッキングプレートと、を備え、
前記ロッキングプレートが、前記第１面において前記蓋部と係合し、前記第２面におい
て前記本体に挿入され、前記第３面において前記本体に固定され、前記第２面に設けられ
ている第１施錠穴と前記本体の背面に設けられている嵌合穴を介して前記施錠具によって
施錠されることを特徴とする電子機器の施錠構造。
【請求項２】
前記ロッキングプレートが、前記第１面に前記蓋部の蓋穴の突起と係合する係合穴を有
することを特徴とする請求項１に記載の電子機器の施錠構造。
【請求項３】
前記第１電子機器を上に段積みする第２電子機器をさらに備え、
前記ロッキングプレートが、前記第１面において前記第１電子機器の前記蓋部と係合し
、前記第２面において前記第１電子機器の前記本体に挿入され、前記第３面において前記
第２電子機器の本体の取付部に固定され、前記第２面に前記第１施錠穴よりも先端側に設
けられている第２施錠穴と前記第１電子機器の前記本体の背面に設けられている前記嵌合
穴を介して前記施錠具によって施錠されることを特徴とする請求項１に記載の電子機器の
施錠構造。
【請求項４】
前記ロッキングプレートが、前記第１面の先端から延在して前記第１電子機器の前記蓋
部の蓋穴の突起と係合する傾斜部を有することを特徴とする請求項３に記載の電子機器の
施錠構造。
【発明の詳細な説明】
【技術分野】
【０００１】
本発明は、電子機器の施錠構造、特に、電子機器、その内部の記憶装置、段積みされた
際の複数の電子機器について、それぞれの盗難防止を図った電子機器の施錠構造に関する
。
【背景技術】
【０００２】
従来、パソコンや外付けハードディスク等の電子機器の盗難を防止するためのものとし
てワイヤ錠（例えば、ケンジントンロック）が知られている。このワイヤ錠は、電子機器
を錠部分で施錠し、ワイヤ部分をデスクに取り付けたりして盗難防止を図るものであり、
近年の電子機器には、このワイヤ錠で施錠できるように、筐体の一部に矩形形状の穴が形
成されているものが多い。この穴にＴ字片に形成された錠部分を嵌入し、９０°回転させ
て錠部分と穴とが直交するようにして施錠される。
【０００３】
近年では、電子機器の本体が盗まれなくても、電子機器の内部に搭載されて重要な情報
が記憶されているＳＳＤ（Solid State Drive）や、電子機器の本体とＵＳＢで接続され
ている外付けＨＤＤ（Hard Disk Drive）等の記憶装置が盗まれてしまうと情報漏えい等
の大きな被害が出ることから、電子機器の本体と内部の記憶装置、あるいは電子機器の本
体と接続された記憶装置の両方が盗難されないような構造が求められている（例えば、特
許文献１）。
【０００４】
特許文献１は、機器の筐体に形成された長穴状のセキュリティスロットに対してワイヤ
錠のＴ字状シャフトによって施錠する盗難防止装置において、筐体の開口部に開閉可能に
取り付けられ、開口部内に取り外し可能に挿入された 対象物を覆蓋するためのシャッタ
と、筐体内におけるセキュリティスロットとシャッタとの間に移動可能に取り付けられた
閂部材とを有し、閂部材が、セキュリティスロットから筐体内に挿人後に９０度回転され
たＴ字状シャフトに駆動され、シャッタの開方向への動きを係止することを特徴とする盗
難防止装置を開示している。これにより、ワイヤ錠のＴ字状シャフトによって駆動された
閂部材が記憶装置を取り出すためのシャッタを係止し、ワイヤ錠を外さないと閂部材を解
除することができないようになっている。したがって、ワイヤ錠１つを施錠すると、筐体
（電子機器の本体）と記憶装置の両方を施錠することができる。
【０００５】
しかしながら、特許文献１では、Ｔ字状シャフトの回転により閂部材を駆動して施錠す
るため、両者の位置関係を非常に近い位置に設ける必要がある。例えば、電子機器の側面
であれば側面に設ける必要があり、設計の自由度がせまい。また、施錠は電子機器の単体
を対象としたものに限られ、電子機器に外付けされたＨＤＤ等の記憶装置には対応できな
いという問題があった 。
【先行技術文献】
【特許文献】
【０００６】
【特許文献１】特開平２００８−６５４３７号公報
【発明の概要】
【発明が解決しようとする課題】
【０００７】
本発明は、かかる課題に鑑みなされたものであり、簡単な構造で、かつ、１つの施錠具
で、電子機器の本体と内部の記憶装置を施錠し、また、外付けで接続された記憶装置をも
併せて施錠する電子機器の施錠構造を提供することを目的とする。
【課題を解決するための手段】
【０００８】
上記した課題を解決するために、本発明は、以下の態様によって把握される。
（１）本発明に係る態様は、施錠具を用いて施錠する電子機器の施錠構造であって、開口
部を有する第１電子機器の本体と、前記開口部を覆う蓋部と、前記蓋部を前記本体に固定
することが可能であって、第１面、前記第１面に対向する第２面及び前記第１面と前記第
２面を接続する第３面を有して側面視コ字状に形成されたロッキングプレートと、を備え
、前記ロッキングプレートが、前記第１面において前記蓋部と係合し、前記第２面におい
て前記本体に挿入され、前記第３面において前記本体に固定され、前記第２面に設けられ
ている第１施錠穴と前記本体の背面に設けられている嵌合穴を介して前記施錠具によって
施錠されることを特徴とする。
【０００９】
（２）上記（１）に記載の構成において、前記ロッキングプレートが、前記第１面に前記
蓋部の蓋穴の突起と係合する係合穴を有する。
【００１０】
（３）上記（１）に記載の構成において、前記第１電子機器を上に段積みする第２電子機
器をさらに備え、前記ロッキングプレートが、前記第１面において前記第１電子機器の前
記蓋部と係合し、前記第２面において前記第１電子機器の前記本体に挿入され、前記第３
面において前記第２電子機器の本体の取付部に固定され、前記第２面に前記第１施錠穴よ
りも先端側に設けられている第２施錠穴と前記第１電子機器の前記本体の背面に設けられ
ている前記嵌合穴を介して前記施錠具によって施錠される。
【００１１】
（４）上記（３）に記載の構成において、前記ロッキングプレートが、前記第１面の先端
から延在して前記第１電子機器の前記蓋部の蓋穴の突起と係合する傾斜部を有する。
【発明の効果】
【００１２】
本発明によれば、簡単な構造で、かつ、１つの施錠具で、電子機器の本体と内部の記憶
装置を施錠し、また、外付けで接続された記憶装置をも併せて施錠する電子機器の施錠構
造を提供することができる。
【図面の簡単な説明】
【００１３】
【図１】本発明の第１実施形態について、（ａ）は電子機器の斜視図を、（ｂ）はロッキングプレートの斜視図を、それぞれ示す。
【図２】図１（ａ）の電子機器の六面図であって、（ａ）は底面図を、（ｂ）は背面図を、（ｃ）は上面図を、（ｄ）は正面図を、（ｅ）は左側面図を、（ｆ）は右側面図を、それぞれ示す。
【図３】図２（ｂ）の拡大図であって、電子機器とロッキングプレートとの関係を示す。
【図４】電子機器の底面を正面側から示す斜視図であって、蓋部及び蓋部に搭載された記憶装置を分解して示す。
【図５】電子機器の底面を背面側から示す斜視図であって、蓋部、ロッキングプレート及びワイヤ錠の関係を示す。
【図６】電子機器の底面を正面側から示す斜視図であって、蓋部を閉じ、ロッキングプレートで固定した状態を示す。
【図７】電子機器にロッキングプレートとワイヤ錠を取り付けた状態を説明する図であって、（ａ）は上面図を、（ｂ）は（ａ）のＡ−Ａ線を矢視したときの拡大断面図を、それぞれ示す。
【図８】本発明の第２実施形態について、電子機器及びその下に段重ねした外付け記憶装置の斜視図を示す。
【図９】図８の外付け記憶装置の六面図であって、（ａ）は底面図を、（ｂ）は背面図を、（ｃ）は上面図を、（ｄ）は正面図を、（ｅ）は左側面図を、（ｆ）は右側面図を、それぞれ示す。
【図１０】図９（ｂ）に電子機器を加えた拡大図であって、電子機器及び外付け記憶装置とロッキングプレートとの関係を示す。
【図１１】外付け記憶装置の上面を正面側から示す斜視図であって、蓋部を分解して示す。
【図１２】電子機器及び外付け記憶装置の上面を背面側から示す斜視図であって、蓋部、ロッキングプレート及びワイヤ錠の関係を示す。
【図１３】電子機器及び外付け記憶装置にロッキングプレートとワイヤ錠を取り付けた状態を説明する図であって、（ａ）は上面図を、（ｂ）は（ａ）のＢ−Ｂ線を矢視したときの拡大断面図を、それぞれ示す。
【発明を実施するための形態】
【００１４】
以下、添付図面を参照して、本発明の実施形態について詳細に説明するが、各図におい
て、同一符号は同一又は対応する部分を示す。また、本発明は、以下の説明からも明らか
なようにこれらの実施形態に限定されるものではなく、発明の要旨の範囲内において当業
者であれば種々の変形が可能である。
【００１５】
＜第１実施形態＞
第１実施形態は、１つの電子機器について、その本体と、内部に搭載された記憶装置の
双方を１つのロッキングプレートを用いて施錠するものである。
【００１６】
（第１電子機器）
まず、本実施形態に係る第１電子機器１０の全体構成について、図１及び図２を参照し
て説明する。図１（ａ）は第１電子機器１０の本体１の斜視図を、図１（ｂ）は、後述す
るように、第１電子機器１０の本体１の底面１Ａに設けられる蓋部４を施錠するために用
いられるロッキングプレート５をそれぞれ示している。図２は、第１電子機器１０の六面
図である。第１電子機器１０は、例えばネットワークを構成する各種電子機器であるが、
特定の用途に用いられるものに限られない。
【００１７】
第１電子機器１０は、図１（ａ）に示すように、筐体から構成される本体１の内部に各
種の電子部材を収容して構成されている。本体１の詳細は図２に示すとおりであり、本体
１の正面１Ｃ（図２（ｄ））には、第１電子機器１０の動作状態を示す表示部１Ｃ１（こ
こでは、「DISK」、「INFO」、「STATUS」、「POWER」の表示を行う例を示す）が設けら
れている。背面１Ｂ（図２（ｂ））には、電源スイッチ１Ｂ１、ＬＡＮ端子１Ｂ２、ＵＳ
Ｂ端子１Ｂ３などが設けられるとともに、詳しくは後述するように、ロッキングプレート
５を介して本体１と蓋部４とを施錠する施錠具Ｗの施錠部Ｔが挿入されるための嵌合穴１
ｅが設けられている（図５参照）。なお、施錠具Ｗは、ワイヤ錠が好適に用いられ、施錠
部ＴはＴ字片のシャフトに形成されている。
【００１８】
本体１の底面１Ａ（図２（ａ））には、本体１の内部に搭載された第１記憶装置Ｍ１（
例えば、ＳＳＤ）を取り付けたり、取り外したりすることを可能にするための開口部３が
設けられている。蓋部４は、開口部３に取り付けられ、ロッキングプレート５を介して、
本体１とともに施錠具Ｗ（図７参照）によって施錠される。蓋部４には突起４ｂを有する
蓋穴４ａが、底面１Ａには蓋穴４ａから見て背面１Ｂ側に対向する位置に矩形状の挿入穴
１ｂが設けられている。底面１Ａの四隅には、脚部７が設けられている。
【００１９】
（ロッキングプレート）
ここで、図１（ｂ）を参照してロッキングプレート５について説明する。ロッキングプ
レート５は、図１（ｂ）に示すように、側面視コ字状に構成されており、第１面５ａと、
第１面５ａと対向する第２面５ｂと、第１面５ａと第２面５ｂを連結する第３面５ｃとか
ら構成されている。ここでは、第１面５ａが短く、第２面５ｂが長く形成されている例を
示している。なお、ロッキングプレート５は、一定の強度を有する板金で形成される。
【００２０】
ロッキングプレート５の第１面５ａには蓋部４の蓋穴４ａの突起４ｂと係合される係合
穴５ｄが、第２面５ｂには本体１の背面１Ｂの嵌合穴１ｅと重なり合う第１施錠穴５ｅ（
及び、第１施錠穴５ｅよりも先端側にあって、第２実施形態において嵌合穴１ｅと重なり
合う第２施錠穴５ｆ）が、第３面５ｃには本体１の底面１Ａにネジ止めに用いられる第１
取付穴５ｈと第２取付穴５ｉが設けられている。
【００２１】
これら第３面５ｃの第１取付穴５ｈと第２取付穴５ｉは、いずれか一方、好ましくは第
２面５ｂに近い側の第２取付穴５ｉの１つとしてもよい。また、蓋部４の蓋穴４ａからロ
ッキングプレート５が本体１の内部に落下しないように、第３面５ｃの幅を部分的に蓋穴
４ａの長径よりも長く形成してもよい。図２以降においては、第２取付穴５ｉのみが設け
られ、第３面５ｃの幅が部分的に蓋穴４ａの長径よりも長い態様のロッキングプレート５
を用いて説明している。
【００２２】
このように構成したロッキングプレート５は、図２（ａ）に示すように、その第１面５
ａが蓋部４に設けられている蓋穴４ａに挿入され、第２面５ｂが本体１の底面１Ａに設け
られている挿入穴１ｂに挿入される。そして、締結手段であるネジ６によって、第３面５
ｃが第２取付穴５ｉを介して本体１の底面１Ａにネジ止めされる。具体的な取り付けにつ
いては、後述する。
【００２３】
なお、図１（ｂ）では、第１面５ａの先端から内側に延在する傾斜部５ｇをさらに設け
た例を示している。傾斜部５ｇは後述する第２実施形態として用いる場合に対応するもの
であり、第１実施形態においては必須ではない。
【００２４】
（施錠構造）
以上の構成を用いて、本実施形態に係る第１電子機器１０の施錠構造について説明する
。図３は、本体１に蓋部４（図３では蓋部４は不可視）に固定し、ロッキングプレート５
を蓋部４及び本体１に取り付けた状態を示している。ロッキングプレート５の第１面５ａ
は蓋部４に係合しており、第２面５ｂの第１施錠穴５ｅは、本体１の背面１Ｂに設けられ
ている嵌合穴１ｅと重なり合った箇所に位置している。以下、施錠構造について、図４か
ら図７を参照しつつ、施錠の手順にしたがって説明する。
【００２５】
図４は、本体１の底面１Ａの開口部３に蓋部４を取り付ける前の状態を正面１Ｃ側から
示している。蓋部４の裏側（図中下側）には、第１記憶装置Ｍ１が搭載されており、蓋部
４は、本体１の開口部３に締結手段のネジ６によってネジ止めされる。
【００２６】
図５は、本体１の底面１Ａの開口部３に蓋部４を取り付けた後の状態を背面１Ｂ側から
示している。図５に示すように、側面視でコ字状に形成されたロッキングプレート５の第
１面５ａが、蓋部４に形成された蓋穴４ａに挿入される。その際、蓋穴４ａに形成されて
いる突起４ｂにロッキングプレート５の係合穴５ｄを差し込んで係合する。次に、第２面
５ｂが底面１Ａに形成された挿入穴１ｂに挿入され、第３面５ｃが締結手段のネジ６によ
って第２取付穴５ｉを介して底面１Ａにネジ止めされる。
【００２７】
第３面５ｃが底面１Ａにネジ止めされた際、ロッキングプレート５の第２面５ｂに設け
られている第１施錠穴５ｅは、本体１の背面１Ｂに形成されている嵌合穴１ｅと重なり合
うように位置する。そして、施錠具Ｗの先端に設けられたＴ字片の施錠部Ｔを嵌合穴１ｅ
と第１施錠穴５ｅとに貫通させ、９０度回転させて施錠する。図６は、施錠後の状態を正
面１Ｃ側から示している。
【００２８】
施錠後の状態について、図７を用いて説明する。図７（ｂ）は、図７（ａ）に示す第１
電子機器１０の本体１の上面図において、施錠具Ｗの中心線であるＡ−Ａ線で矢視したと
きの断面を拡大して示している。施錠構造は、あらためて整理すると、次の構成からなる
。すなわち、ロッキングプレート５は、第１面５ａの係合穴５ｄよって蓋部４の蓋穴４ａ
の突起４ｂに係合し、第３面５ｃの第２取付穴５ｉを介してネジ６によって本体１の底面
１Ａにネジ止めされ、第２面５ｂの第１施錠穴５ｅと本体１の背面１Ｂの嵌合穴１ｅは重
なり合い、施錠具Ｗの施錠部Ｔが第１施錠穴５ｅと嵌合穴１ｅを貫通して９０度回転する
ことにより施錠される。
【００２９】
これにより、施錠具Ｗを開錠しない限り、ロッキングプレート５を蓋部４から取り外す
ことができず、開口部３を露出することはできない。このように、第１実施形態は、第１
電子機器１０の本体１を１つの施錠具Ｗで施錠することにより、本体１だけではなく、内
部に搭載された第１記憶装置Ｍ１も同時に施錠することができる。
【００３０】
＜第２実施形態＞
第２実施形態は、段積みされた２つの電子機器について、２つの本体と、２つの内部に
搭載された記憶装置の双方を１つのロッキングプレートを用いて施錠するものである。
【００３１】
（第２電子機器）
第２実施形態では、図８に示すように、第２記憶装置Ｍ２が搭載された第２電子機器２
０（増設装置ともいう。）の本体２１の上に第１電子機器１０の本体１が段積みされる。
第１電子機器１０及びロッキングプレート５は第１実施形態と同様であるので、それらの
説明は省略し、第２電子機器２０について、説明する。
【００３２】
第２電子機器２０の本体２１の詳細は六面図である図９に示すとおりであり、本体２１
の正面２１Ｃ（図９（ｄ））には、第２電子機器２０の動作状態を示す表示部２１Ｃ１（
ここでは、「DISK2」、「DISK1」、「ALART」、「HOST」、「POWER」の表示を行う例を示
す）が設けられている。背面２１Ｂ（図９（ｂ））には、電源スイッチ２１Ｂ１、ファン
２１Ｂ２、ＵＳＢ端子２１Ｂ３などが設けられており、ＵＳＢ端子２１Ｂ３は、第１電子
機器１０のＵＳＢ端子１Ｂ３とＵＳＢケーブル（不図示）によって接続される。
【００３３】
本体２１の上面２１Ｄ（図９（ｃ））には、本体２１の上部に第１電子機器１０を段積
みしたときに、第１電子機器１０と第２電子機器２０を１つのロッキングプレート５（ひ
いては１つの施錠具Ｗ）を用いて施錠するため、ロッキングプレート５の取付部２４が設
けられている。ここでは、取付部２４として、本体２１の上面２１Ｄに凹部状に設けた例
を示している（図９（ｂ））。
【００３４】
取付部２４には、ロッキングプレート５の第３面５ｃをネジ止めするためのネジ穴２４
ａが１か所設けられており、これは、ロッキングプレート５を第２取付穴５ｉの１か所を
用いてネジ止めすることを想定したものである。取付部２４の凹部状は、ロッキングプレ
ート５を１か所でネジ止めするときに、回転しないように規制し、取り付けのための作業
効率を図るものである。取付部２４の態様としては、このほかにも、凹部に代えて、ロッ
キングプレート５の配置位置の両側にリブを立設するようにしてもよい。
【００３５】
取付部２４には、さらに、突き当りに２条の突起２４ｂを設けてもよい。突起２４ｂを
設けてくことにより、ロッキングプレート５を凹部に嵌め込んだ際の緩衝となり、その第
３面５ｃの第２取付穴５ｉとネジ穴２４ａの位置合わせが容易となる。
【００３６】
第２電子機器２０の上面２１Ｄの四隅には凹部２５が形成されており、段積みする際に
、第１電子機器１０の本体１の４本の脚部７が載置される。これによって、確実かつ安全
に段積みできるとともに、第１電子機器１０と第２電子機器２０の間の間隙を狭くするこ
とができ、第１電子機器１０と第２電子機器２０の間は、放熱が可能である最小限の間隙
をもって積み重ねることができる。
【００３７】
なお、前述したように、ロッキングプレート５には第１取付穴５ｈと第２取付穴５ｉの
２つの取付穴を設けてもよいことから、その際には、配置マーキングのみを上面２１Ｄに
施して、２か所でネジ止めすることができる。ただし、取り付けのための作業効率の観点
からは、ネジ止めは１か所としたほうが好ましい。
【００３８】
（施錠構造）
以上の構成を用いて、本実施形態に係る第１電子機器１０と第２電子機器２０の施錠構
造について説明する。図１０は、第１電子機器１０、第２電子機器２０及びロッキングプ
レート５の関係を示した図であり、第２電子機器２０の本体２１の取付部２４にロッキン
グプレート５が取り付けられており、その第１面５ａは第１電子機器１０の蓋部４に係合
しており、第２面５ｂの第２施錠穴５ｆは、第１電子機器１０の本体１の背面１Ｂに設け
られている嵌合穴１ｅと重なり合った箇所に位置している。以下、施錠構造について、図
１１から図１３を参照しつつ、施錠の手順にしたがって説明する。
【００３９】
図１１は、第２電子機器２０の本体２１に上面２１Ｄを取り付ける前の状態を正面２１
Ｃ側から示している。本体２１の内部（図中左側）には、ＨＤＤで構成された第２記憶装
置Ｍ２が搭載されており、上面２１Ｄは、本体２１に締結手段のネジ２６によってネジ止
めされる。
【００４０】
その後、図１２に示すように、ロッキングプレート５の第３面５ｃが、第２電子機器２
０の背面２１Ｂ側の上面２１Ｄの略中央部に設けられた取付部２４に締結手段であるネジ
２６によってネジ止めされる。そして、第１電子機器１０の蓋部４の蓋穴４ａ（図５参照
）にロッキングプレート５の第１面５ａを、第１電子機器１０の本体１の挿入穴１ｂ（図
５参照）にロッキングプレート５の第２面５ｂをそれぞれ挿入し、第１電子機器１０を第
２電子機器２０の上に段積みする。
【００４１】
そうすると、第２面５ｂの第２施錠穴５ｆは、第１電子機器１０の本体１の背面１Ｂに
形成されている嵌合穴１ｅと重なり合うように位置する。そして、施錠具Ｗの先端に設け
られたＴ字片の施錠部Ｔを嵌合穴１ｅと第２施錠穴５ｆとに貫通させ、９０度回転させて
施錠する。
【００４２】
施錠後の状態について、図１３を用いて説明する。図１３（ｂ）は、図１３（ａ）に示
す段積みされた第１電子機器１０／第２電子機器２０の本体１／２１の上面図において、
施錠具Ｗの中心線であるＢ−Ｂ線で矢視したときの断面を拡大して示している。施錠構造
は、あらためて整理すると、次の構成からなる。すなわち、ロッキングプレート５は、第
１面５ａの傾斜部５ｇよって第１電子機器１０の蓋部４の蓋穴４ａの突起４ｂに係合し、
第３面５ｃの第２取付穴５ｉを介してネジ２６によって第２電子機器２０の本体２１の上
面２１Ｄにネジ止めされ、第２面５ｂの第２施錠穴５ｆと第１電子機器１０の本体１の背
面１Ｂの嵌合穴１ｅは重なり合い、施錠具Ｗの施錠部Ｔが第２施錠穴５ｆと嵌合穴１ｅを
貫通して９０度回転することにより施錠される。
【００４３】
これにより、第１電子機器１０の本体１と第２電子機器２０の本体２１を積み重ねて施
錠具Ｗによって施錠することで、第１電子機器１０と第２電子機器２０の施錠はもとより
、第１電子機器１０の本体１の底面１Ａに形成された蓋部４が第２電子機器２０により覆
われてしまうことによって蓋部４にアクセスすることが防止され、一方、第２電子機器２
０は第１電子機器１０の本体１の脚部７によって開放することが防止される。
【００４４】
そして、施錠具Ｗを開錠しない限り、ロッキングプレート５を蓋部４から取り外すこと
ができず、第１電子機器１０と第２電子機器２０の両者とも開放することができない。さ
らに、両者の内部に設けられた第１記憶装置Ｍ１と第２記憶装置Ｍ２も盗まれることがな
い。このように、第２実施形態は、１つの施錠具Ｗの施錠によって、第１電子機器１０の
本体１、第１電子機器１０内の第１記憶装置Ｍ１、第２電子機器２０の本体２１、及び第
２電子機器２０内の第２記憶装置Ｍ２の盗難を防止することができる。
【００４５】
以上、実施形態について説明したが、本発明は、具体的な実施形態に限定されるもので
はなく、種々の変更を行ったものも含まれるものであり、そのことは、当業者にとって特
許請求の範囲の記載から明らかである。
【符号の説明】
【００４６】
１０…第１電子機器
１…本体、１Ａ…底面、１Ｂ…背面、１Ｃ…正面
１ｂ…挿入穴、１ｅ…嵌合穴
３…開口部
４…蓋部、４ａ…蓋穴、４ｂ…突起
５…ロッキングプレート、５ａ…第１面、５ｂ…第２面、５ｃ…第３面、５ｄ…係合穴、
５ｅ…第１施錠穴、５ｆ…第２施錠穴、５ｇ…傾斜部、５ｈ…第１取付穴、５ｉ…第２取
付穴
６…ネジ
７…脚部
２０…第２電子機器（増設装置）
２１…本体、２１Ａ…底面、２１Ｂ…背面、２１Ｃ…正面、２１Ｄ…上面
２４…取付部、２４ａ…ネジ穴、２４ｂ…突起
２５…凹部
２６…ネジ
２７…脚部
Ｍ１…第１記憶装置
Ｍ２…第２記憶装置
Ｗ…施錠具（ワイヤ錠）
Ｔ…施錠部（Ｔ字片）
【図１】
2019160103.tif 000003
【図２】
2019160103.tif 000004
【図３】
2019160103.tif 000005
【図４】
2019160103.tif 000006
【図５】
2019160103.tif 000007
【図６】
2019160103.tif 000008
【図７】
2019160103.tif 000009
【図８】
2019160103.tif 000010
【図９】
2019160103.tif 000011
【図１０】
2019160103.tif 000012
【図１１】
2019160103.tif 000013
【図１２】
2019160103.tif 000014
【図１３】
2019160103.tif 000015